(57)【要約】【課題】格納時のスペースの大幅な増加を招くことなく、発光部を従来よりも上方と前方に大きく突出させることによって、レンズによるストロボ光の遮蔽を防ぐことができるカメラ内蔵ストロボ装置のポップアップ機構を提供すること。【解決手段】カメラ本体に内蔵されたストロボ装置１を必要に応じて起立させる機構であって、収納ケース２に揺動可能に支持されたブラケット５と、該ブラケット５を起立方向に付勢するスプリング（第１の付勢手段）７と、発光部８を保持するホルダ９を備えたポップアップ機構において、前記ホルダ９を前記ブラケット５に対してスライド可能に支持するとともに、該ホルダ９を前記ブラケット５から突出する方向に付勢するスプリング（第２の付勢手段）１１を設ける。【選択図】図８
2015040927.tif 000002
【特許請求の範囲】
【請求項１】
カメラ本体に内蔵されたストロボ装置を必要に応じて起立させる機構であって、
収納ケースに揺動可能に支持されたブラケットと、該ブラケットを起立方向に付勢する第１の付勢手段と、発光部を保持するホルダを備えたポップアップ機構において、
前記ホルダを前記ブラケットに対してスライド可能に支持するとともに、該ホルダを前記ブラケットから突出する方向に付勢する第２の付勢手段を設けたことを特徴とするカメラ内蔵ストロボ装置のポップアップ機構。
【請求項２】
前記ブラケットまたは前記ホルダの一方にスライド溝を形成し、他方に前記スライド溝に権号するスライド突起を形成したことを特徴とする請求項１記載のカメラ内蔵ストロボ装置のポップアップ機構。
【請求項３】
前記ホルダとこれを覆うカバーによって形成される収納部に前記第２の付勢手段を収納したことを特徴とする請求項１または２記載のカメラ内蔵ストロボ装置のポップアップ機構。
【発明の詳細な説明】
【技術分野】
【０００１】
本発明は、カメラに内蔵されたストロボ装置を必要に応じて起立させるポップアップ機構に関するものである。
【背景技術】
【０００２】
例えば、デジタルカメラに内蔵されるストロボ装置は、夜間や雨天時などのように周囲が暗い環境舌において、所定の撮影有効範囲での撮影を可能とするために補助光としてのストロボ光を照射対象である被写体に向けて照射するものである。
【０００３】
ところで、カメラには、カメラ本体に内蔵されたすトロボ装置を必要に応じて起立させて所要の用途に供するためのポップアップ機構を備えたものが或る(例えば、特許文献１参照）。
【先行技術文献】
【特許文献】
【０００４】
【特許文献１】特開２００５−２８４０９１号公報
【発明の概要】
【発明が解決しようとする課題】
【０００５】
しかしながら、特許文献１において提案されたものを含む従来のポップアップ機構においては、ストロボ装置がポップアップされて起立した状態での発光部の上方および前方への突出量が十分ではなく、発光部から出射するストロボ光がカメラ本体のレンズによって遮られる「蹴られ」と称される現象が発生し、綺麗な写真を撮ることができない可能性があった。
【０００６】
本発明は上記問題に鑑みてなされたもので、その目的とする処は、格納時のスペースの大幅な増加を招くことなく、発光部を従来よりも上方と前方に大きく突出させることによって、レンズによるストロボ光の遮蔽を防ぐことができるカメラ内蔵ストロボ装置のポップアップ機構を提供することにある。
【課題を解決するための手段】
【０００７】
上記目的を達成するため、請求項１記載の発明は、カメラ本体に内蔵されたストロボ装置を必要に応じて起立させる機構であって、
収納ケースに揺動可能に支持されたブラケットと、該ブラケットを起立方向に付勢する第１の付勢手段と、発光部を保持するホルダを備えたポップアップ機構において、
前記ホルダを前記ブラケットに対してスライド可能に支持するとともに、該ホルダを前記ブラケットから突出する方向に付勢する第２の付勢手段を設けたことを特徴とする。
【０００８】
請求項２記載の発明は、請求項１記載の発明において、前記ブラケットまたは前記ホルダの一方にスライド溝を形成し、他方に前記スライド溝に嵌合するスライド突起を形成したことを特徴とする。
【０００９】
請求項３記載の発明は、請求項１または２記載の発明において、前記ホルダとこれを覆うカバーによって形成される収納部に前記第２の付勢手段を収納したことを特徴とする。
【発明の効果】
【００１０】
本発明によれば、発光部を支持したホルダがポップアップ時にブラケットに対してスライドして斜め前方へと突出するため、発光部を従来よりも上方と前方に大きく突出させることができ、発光部から出射するストロボ光がカメラ本体のレンズによって遮られることがなく、被写体に十分な光量のストロボ光を照射して綺麗な写真を撮ることができる。
【００１１】
また、ストロボ装置がカメラ本体内に格納されている状態では、ホルダはスライドする前の状態でコンパクトに収納されているため、ストロボ装置の格納時のスペースの大幅な増加を招くことがない。
【図面の簡単な説明】
【００１２】
【図１】本発明に係るポップアップ機構を備えたストロボ装置のポップアップ時の状態を示す斜視図である。
【図２】本発明に係るポップアップ機構を備えたストロボ装置の分解斜視図である。
【図３】本発明に係るポップアップ機構を備えたストロボ装置の収納ケースにブラケットを組み付けた状態を示す斜視図である。
【図４】本発明に係るポップアップ機構を備えたストロボ装置のホルダの斜視図である。
【図５】本発明に係るポップアップ機構を備えたストロボ装置のカバーを内側から見た斜視図である。
【図６】本発明に係るポップアップ機構を備えたストロボ装置の組付状態にあるホルダとカバーを内側から見た斜視図である。
【図７】本発明に係るポップアップ機構を備えたストロボ装置の格納状態を示す斜視図である。
【図８】図７のＡ−Ａ線断面図である。
【図９】図７のＢ−Ｂ線断面図である。
【発明を実施するための形態】
【００１３】
以下に本発明の実施の形態を添付図面に基づいて説明する。
【００１４】
図１は本発明に係るポップアップ機構を備えたストロボ装置のポップアップ時の状態を示す斜視図、図２は同ストロボ装置の分解斜視図、図３は同ストロボ装置の収納ケースにブラケットを組み付けた状態を示す斜視図、図４は同ストロボ装置のホルダの斜視図、図５は同ストロボ装置のカバーを内側から見た斜視図、図６は同ストロボ装置の組付状態にあるホルダとカバーを内側から見た斜視図、図７は同ストロボ装置の格納状態を示す斜視図、図８は図７のＡ−Ａ線断面図、図９は図７のＢ−Ｂ線断面図である。
【００１５】
本発明に係るポップアップ機構を備えたストロボ装置１は、通常は図７に示すように不図示のカメラ本体内に格納されており、必要に応じてポップアップ機構によって図１に示すようにポップアップされて上方へと起立する。ここで、本発明に係るポップアップ機構の構成の詳細について説明する。
【００１６】
図１〜図３において、２は不図示のカメラ本体に固設された収納ケースであって、該収納ケース２の前端部には支持アーム３の下端部が前後に回動可能に軸支されている。すなわち、図１および図２に示すように、収納ケース２の前端部上の左右には、ボス状の軸支部２ａが一体に形成されており、支持アーム３の下部左右にはボス状の軸支部３ａが一体に形成されている。そして、支持アーム３の左右の軸支部３ａは、収納ケース２の左右の軸支部２ａに挿通する水平な軸４によって支持アーム３の下端部が前述のように収納ケース２に前後に回動可能に軸支されている。
【００１７】
また、上記支持アーム３の上端部には、ブラケット５の前後方向中間部が軸６によって回動可能に軸支されている。すなわち、図１および図２に示すように、支持アーム３の上部左右にはボス状の軸支部３ｂが一体に形成されており、ブラケット５の長手方向中間部の左右下部には軸支部５ａが一体に突設されている。そして、ブラケット５の長手方向中間部は、その左右に突設された軸支部５ａと支持アーム３の上端部の左右に形成された前記軸支部３ｂに挿通する水平な前記軸６によって前述のように支持アーム３の上端部に回動可能に軸支されている。
【００１８】
さらに、ブラケット５の左右の側壁５Ａには、図２に示すようにスライド突起（図２には一方のみ図示）５ｂが前後方向に沿って一体に突設されている。そして、ブラケット５の左右の側壁５Ａの後端下部には円孔状のピン孔５ｃ（図２には一方のみ図示）が形成されており、図示しないが、各ピン孔５ｃに嵌着されたピンは、収納ケース２の左右内面に形成された前後方向に長い嵌合溝に嵌合している。
【００１９】
以上のように、支持アーム３は、その下端が軸４によって回動可能に軸支され、この支持アーム３の上端部にブラケット５の長手方向中間部が軸６によって回動可能に軸支され、ブラケット５の後端部は、不図示のピンを介して収納ケース２に前後方向にスライド可能に支持されている。
【００２０】
而して、図１および図２に示すように、ブラケット５を支持アーム３に対して回動可能に軸支する軸４には第１の付勢手段であるスプリング７が巻装されており、該スプリング７の一端は支持アーム３に係止され、他端はブラケット５に係止されている。したがって、ブラケット５は、スプリング７によってポップアップ方向（図１に示すように起立する方向）に付勢されている。
【００２１】
ところで、図１に示すように、ストロボ装置１の横方向に細長い矩形の発光部８は、ホルダ９の前面の幅方向中央部に取り付けられており、ホルダ９の上面は箱状のカバー１０によって覆われるが、これらのホルダ９とカバー１０は、図６に示すように一体的に組み付けられ、これらはブラケット５に対して前後方向にスライド可能に支持されている。そして、これらのホルダ９とカバー１０は、第２の付勢手段であるスプリング１１（図８参照）によって前方へと付勢されている。以下、これらの構成の詳細について説明する。
【００２２】
図５および図９に示すように、カバー１０の左右の側壁１０Ａの内面には、スライド溝１０ａ（図５には一方のみ図示）が前後方向（図９の紙面垂直方向）に沿ってそれぞれ形成されており、これらのスライド溝１０ａには、ブラケット５の左右側壁５Ａの外面に突設された前記スライド突起５ｂが嵌合している。したがって、発光部８が取り付けられたホルダ９とこれを覆うカバー１０は、ブラケット５のスライド突起５ｂに沿って前後方向にスライドすることができる。なお、本実施の形態では、スライド突起５ｂをブラケット５側に形成し、該スライド突起５ｂが嵌合するスライド溝１０ａをカバー１０側に形成したが、これとは逆にスライド突起５ｂをカバー１０側に形成し、スライド溝１０ａをブラケット５側に設けてもよい。
【００２３】
また、図４に示すように、前記ホルダ９の左右には、ステー９Ａが後方に向かってそれぞれ一体に延設されたおり、各ステー９Ａには、上方が開口する凹状のスプリング受け９ａがそれぞれ形成されている。そして、各スプリング受け９ａとカバー１０とで囲まれる空間は収納部をそれぞれ形成しており、図８に示すように、左右の各収納部には前記スプリング１１がそれぞれ収納されており、各スプリング１１は、ホルダ９とブラケット５の間に縮装されている。したがって、図６に示すように組付一体化されたホルダ９とカバー１０とは、これらをスライド可能に保持するブラケット５に対して前方にスライドする方向に付勢されている。
【００２４】
ところで、図１および図２に示すように、カバー１０の一方の側壁１０Ａの前端部外面には矩形の係合穴１０ｂが形成されており、ストロボ装置１が図７に示すようにカメラ本体内に格納されている状態では、カメラ本体内に設けられた不図示の係合突起が係合穴１０ｂに係合することによって、ストロボ装置１は格納状態が保持されている。なお、ストロボ装置１が図７に示すようにカメラ本体内に格納されている状態では、ホルダ９とカバー１０とはスライドする前の初期状態に保持されており、スプリング１１は圧縮された状態にある。
【００２５】
而して、図７に示すようにストロボ装置１がカメラ本体内に格納されている状態から、撮影者がカメラ本体の不図示のボタンを操作して係合突起をスプリング等の不図示の付勢手段の付勢力に抗して移動させると、ストロボ装置１のカバー１０に形成された係合穴１０ｂへの係合突起の係合が解除される。すると、ストロボ装置１は、本発明に係るポップアップ機構によってポップアップされて図１および図８に示すようにカメラ本体の上部に起立し、この状態から撮影者が不図示のボタンを操作すると、ストロボ装置１の発光部８からストロボ光が被写体に向けて照射され、夜間や雨天時などにおける光量不足がストロボ光によって補われる。
【００２６】
すなわち、上述のように不図示の係合突起とストロボ装置１のカバー１０に形成された係合穴１０ｂとの係合が解除されると、ストロボ装置１のブラケット５とこれにスライド可能に保持されたホルダ９とカバー１０は、左右のスプリング１１の付勢力によって軸６を中心として図１および図８に示すように上方へと略４５°回動し、これらは前方に向かって斜め上方に傾斜する状態で起立する。これと同時に、一体化されたホルダ９とカバー１０は、左右２本のスプリング１１の前方への付勢力によってブラケット５の左右のスライド突起５ｂに沿って斜め上方へとスライドして突出する。このため、ホルダ９に取り付けられた発光部８は、従来よりも上方と前方に大きく突出（本実施の形態では、上方と前方に約６ｍｍ突出）させることができ、発光部８から出射するストロボ光がカメラ本体の不図示のレンズによって遮られることがなく、被写体に向けて十分な光量のストロボ光を照射して綺麗な写真を撮ることができる。
【００２７】
そして、ポップアップされたストロボ装置１をカメラ本体内に格納する場合には、一体化されたホルダ９とカバー１０をスプリング１１の付勢力の抗してブラケット５のスライド突起５ｂに沿って後方へとスライドさせて初期位置（前方へとスライドする前の位置）に戻し、その状態でホルダ９とカバー１０をスプリング７の付勢力に抗して下方へと押圧する。すると、ストロボ装置１のホルダ９とカバー１０およびブラケット５が軸４，６を中心として回動するとともに、ブラケット５のピン孔５ｃに嵌着された不図示のピンが収納ケース２の不図示のガイド溝に沿って後方へと移動することによって、ストロボ装置１は、閉じ方向に回動しつつ後方へとスライドし、カメラ本体内に図７に示すように格納される。そして、このようにストロボ装置１がカメラ本体内に格納されている状態では、ホルダ９とカバー１０はスライドする前の状態（初期状態）でコンパクトに収納されているため、ストロボ装置１の格納時のスペースの大幅な増加を招くことがない。
【００２８】
以上のように、本発明に係るストロボ装置１のポップアップ機構によれば、ストロボ装置１の格納時のスペースの大幅な増加を招くことなく、発光部８を従来よりも上方と前方に大きく突出させることができ、カメラ本体のレンズによるストロボ光の遮蔽を防ぐことができるという効果が得られる。
【符号の説明】
【００２９】
１          ストロボ装置
２          収納ケース
２ａ        収納ケースの軸支部
３          支持アーム
３ａ，３ｂ  支持アームの軸支部
４          軸
５          ブラケット
５Ａ        ブラケットの側壁
５ａ        ブラケットの軸支部
５ｂ        ブラケットのスライド突起
５ｃ        ブラケットのピン孔
６          軸
７          スプリング（第１の付勢手段）
８          発光部
９          ホルダ
９Ａ        ホルダのステー
９ａ        ホルダのスプリング受け
１０        カバー
１０Ａ      カバーの側壁
１０ａ      カバーのスライド溝
１０ｂ      カバーの係合穴
１１        スプリング（第２の付勢手段）
【図１】
2015040927.tif 000003
【図２】
2015040927.tif 000004
【図３】
2015040927.tif 000005
【図４】
2015040927.tif 000006
【図５】
2015040927.tif 000007
【図６】
2015040927.tif 000008
【図７】
2015040927.tif 000009
【図８】
2015040927.tif 000010
【図９】
2015040927.tif 000011